(57)【特許請求の範囲】
【請求項１】
電子計算機各々から表示データを入力するための複数の表示データインタフェース部と、電子計算機各々との間で通信データを入出力するための複数の通信データインタフェース部と、２以上の前記表示データインタフェース部に入力した表示データが表す２以上の画像を重ね合わせ表示する重ね合わせ表示部と、前記複数の通信データインタフェース部のいずれかに入力した、前記重ね合わせ表示の形態の変更を指示する通信データに基づいて、前記重ね合わせ表示の形態を変更する表示制御部と、第１の前記通信データインタフェース部と通信データの入出力を行う第１の電子計算機から第１の前記通信データインタフェース部に入力した、第２の前記通信データインタフェース部と通信データの入出力を行う第２の電子計算機宛ての通信データを、第２の前記通信データインタフェース部から第２の電子計算機に出力する通信データ中継手段と、を有することを特徴とするモニタ装置。
【請求項２】
請求項１に記載のモニタ装置であって、
入力装置から入力データを入力するための１以上の入力データインタフェース部と、前記入力データインタフェース部に入力した電子計算機へ入力すべき入力データを、前記入力データインターフェース部に入力した切り替え操作に従い前記複数の通信データインタフェース部の中から選択された通信データインタフェース部を介して、当該通信データインタフェース部と通信データの入出力を行う電子計算機に出力する入力データ中継手段とを有することを特徴とするモニタ装置。
【請求項３】
請求項１又は２に記載のモニタ装置であって、
前記表示制御部は、前記通信データインタフェース部に入力した、モニタ装置の表示特性の変更を指示する通信データに基づいて、モニタ装置の表示特性を変更することを特徴とするモニタ装置。
【請求項４】
請求項２に記載のモニタ装置であって、
前記表示制御部は、前記入力データインタフェース部に入力した、モニタ装置の表示特性の変更を指示する入力データに基づいて、モニタ装置の表示特性を変更することを特徴とするモニタ装置。
【請求項５】
請求項１乃至４のいずれか一項に記載のモニタ装置であって、
カメラからの画像データを入力する画像データ入力インタフェース部を有し、
前記重ね合わせ表示部は、２以上の前記表示データインタフェース部に入力した表示データが表す２以上の画像に加え、前記画像データ入力インタフェース部に入力した画像データが表す画像をも重ね合わせ表示することを特徴とするモニタ装置。
【請求項６】
請求項５記載のモニタ装置であって、
前記画像データインタフェース部に入力した画像データを、前記入力データインターフェース部に入力した切り替え操作に従い前記複数の通信データインタフェース部の中から選択された通信データインタフェース部を介して、当該通信データインタフェース部と通信データの入出力を行う電子計算機に出力する画像データ中継手段とを有することを特徴とするモニタ装置。
【請求項７】
請求項１乃至６のいずれか一項に記載のモニタ装置であって、
前記重ね合わせ表示部は、前記重ね合わせ表示として、第１の前記表示データインタフェース部に入力した表示データが表す画像の画面中のウインドウに、第２の前記表示データインタフェース部に入力した表示データが表す画像の画面を表示する表示を行い、前記表示制御部は、前記重ね合わせ表示の形態の変更を、第２の前記表示データインタフェース部に入力した表示データが表す画像の画面を表示するウインドウの位置と大きさを変更することにより行うことを特徴とするモニタ装置。
【請求項８】
請求項１乃至７のいずれか一項に記載のモニタ装置であって、
前記通信データインタフェース部は、ＵＳＢ（Ｕｎｉｖｅｒｓａｌ  Ｓｅｒｉａｌ  Ｂｕｓ）を用いた通信データの入出力を行うことを特徴とするモニタ装置。
【発明の詳細な説明】
【０００１】
【発明の属する技術分野】
本発明は、電子計算機に用いられるモニタ装置に関するものである。
【０００２】
【従来の技術】
一般的には、ディスクトップ型などの据え置き型の電子計算機には、視認性に優れた大型のモニタ装置や、操作性に優れたキーボード、マウスなどの入力装置が備えられ、ノート型やパームトップ型などの携帯型の電子計算機には、小型、軽量化のために、操作性を犠牲にした小型のキーボードやポインティングデバイスなどの入力装置や、視認性に劣る小型のモニタが電子計算機と一体化され備えられている。
【０００３】
ここで、据え置き型の電子計算機に備えられるモニタ装置は、一度に一つの画像入力しか受けることができない。このため、ある電子計算機の出力画像の表示に用いていたモニタ装置を、他の電子計算機の出力画像の表示に用いる場合には、モニタ装置と電子計算機の接続を配線し直すか、別途設けた切り替えスイッチなどにより、モニタ装置と電子計算機の接続を切り替える必要がある。入力装置も同様に、ある電子計算機への入力に用いていたモニタ装置を、他の電子計算機への入力に用いる場合には、入力装置と電子計算機の接続を配線し直すか、別途設けた切り替えスイッチなどにより、入力装置と電子計算機の接続を切り替える必要がある。
【０００４】
【発明が解決しようとする課題】
ときとして、一人の利用者が、複数の電子計算機を同時に使用した作業を行いたい場合がある。しかし、このような場合には、入力装置やモニタ装置が電子計算機毎に設けられているために、利用者は、操作する電子計算機に応じて異なる入力装置を使用したり、異なるモニタ装置を見なければならない。特に、一つの電子計算機が携帯型の電子計算機であり、一つの電子計算機が据え置き型の電子計算機である場合には、その場所に据え置き型の電子計算機に備えられた視認性に優れたモニタ装置や操作性に優れた入力装置があるににもかかわらず、携帯型の電子計算機を操作するときには、携帯型の電子計算機に備えられた視認性や操作性に劣るモニタや入力装置を使用しなければならない。
【０００５】
ここで、前述のようにモニタ装置や入力装置と電子計算機との接続を配線し直すか、別途スイッチを設けてこれを操作することにより、ある電子計算機に備えられたモニタ装置や入力装置を、他の電子計算機のモニタ装置や入力装置として使用することは可能であるが、このようにすると、同時にモニタ装置に出力される画像は、ただ一つの電子計算機の出力画像となるため、利用者は複数の電子計算機の出力画像を同時に確認することができなくなってしまう。また、頻繁に操作しようとする電子計算機が変わる場合には、その度に、いちいち、操作中の入力装置を離れ、配線のし直しや別途設けたスイッチの操作を行わなければならないのは煩雑であり、利用者のスムーズな作業を阻害する。
【０００６】
そこで、本発明は、複数の電子計算機の出力画像を同時に表示することのできるモニタ装置を提供することを課題とする。また、本発明は、利用者が、特定の入力装置を離れることなく、その特定の入力装置や特定のモニタ装置を、複数の電子計算機のモニタ装置や入力装置として使用可能とすることを課題とする。
【０００７】
【課題を解決するための手段】
前記課題達成のために、本発明は、モニタ装置に、電子計算機各々から表示データを入力するための複数の表示データインタフェース部と、電子計算機各々との間で通信データを入出力するための複数の通信データインタフェース部と、２以上の前記表示データインタフェース部に入力した表示データが表す２以上の画像を重ね合わせ表示する重ね合わせ表示部と、前記通信データインタフェース部に入力した、前記重ね合わせ表示の形態の変更を指示する通信データに基づいて、前記重ね合わせ表示の形態を変更する表示制御部とを有することを特徴とするモニタ装置を提供する。
【０００８】
このようなモニタ装置によれば、複数の電子計算機の出力画像を同時に表示することができ、また、電子計算機からモニタ装置の重ね合わせ表示の形態を変更できることにより、確認したい内容に応じた表示を、モニタ装置に行わせることができるので、実用上、モニタ装置を複数の電子計算機のモニタ装置として使用可能とすることができる。
【０００９】
また、さらに、このようなモニタ装置に、入力装置から入力データを入力するための１以上の入力データインタフェース部と、入力データインタフェース部に入力した電子計算機へ入力すべき入力データを、前記複数の通信データインタフェース部のなかから動的に選択される一つの通信データインタフェース部から、当該通信データインタフェース部と通信データの入出力を行う電子計算機に出力する入力データ中継手段とを備えれば、特定の入力装置を複数の電子計算機の入力装置として使用可能とすることができる。
【００１０】
また、前記課題達成のために、本発明は、たとえば、電子計算機各々から表示データを入力するための複数の表示データインタフェース部と、電子計算機各々との間で通信データを入出力するための複数の通信データインタフェース部と、入力装置から入力データを入力するための１以上の入力データインタフェース部と、２以上の前記表示データインタフェース部に入力した表示データが表す２以上の画像を重ね合わせ表示する重ね合わせ表示部と、前記入力データインタフェース部に入力した、前記重ね合わせ表示の形態の変更を指示する入力データに基づいて、前記重ね合わせ表示の形態を変更する表示制御部と、前記入力データインタフェース部に入力した電子計算機へ入力すべき入力データを、前記複数の通信データインタフェース部のなかから動的に選択される一つの通信データインタフェース部から、当該通信データインタフェース部と通信データの入出力を行う電子計算機に出力する入力データ中継手段とを有することを特徴とするモニタ装置を提供する。
【００１１】
このような、モニタ装置によれば、複数の電子計算機の出力画像を同時に表示することができ、また、特定の入力装置を複数の電子計算機の入力装置として使用できると共に、この入力装置からモニタ装置の重ね合わせ表示の形態を変更できるので、利用者は、特定の入力装置を離れる必要なしに、モニタ装置を複数の電子計算機のモニタ装置として実用上使用することができる。
【００１２】
【発明の実施の形態】
以下、本発明の実施形態について説明する。
【００１３】
まず、第１の実施形態について説明する。
【００１４】
はじめに、本第１実施形態に係るモニタ装置の使用形態を図１に示す。
【００１５】
図中において、１はモニタ装置、２は第１の電子計算機（以下、「第１ＰＣ」として示す）、３は第２の電子計算機（以下、「第２ＰＣ」として示す）である。第１ＰＣ２は据え置き型の電子計算機であり、キーボード４、マウス５を入力装置として備えている。また、第２ＰＣ３は、携帯型の電子計算機であり、キーボードやポインティングデバイスなどの入力装置は一体化されている。
【００１６】
次に、図２に、モニタ装置１と第１ＰＣ２、第２ＰＣ３との接続関係を、図２に示す。
【００１７】
図中、１３は第１ＰＣ２に装着されるモニタ接続用の第１ＰＣコネクタ、１９はモニタ装置１に装着される第１ＰＣ接続用の第１モニタコネクタである。第１ＰＣコネクタ１３と第１モニタコネクタ１９の間には、第１ＰＣ２が出力する表示データである第１表示データをモニタ装置１に送るための第１表示データ伝送線１４と、第１ＰＣ２とモニタ装置１の間で通信データを送受するための第１通信データ伝送線１５が配線されている。
【００１８】
また、１６は第２ＰＣ３に装着されるモニタ接続用の第２ＰＣコネクタ、２０はモニタ装置１に装着される第２ＰＣ接続用の第２モニタコネクタである。第２ＰＣコネクタ１６と第２モニタコネクタ２０の間には、第２ＰＣ３が出力する表示データである第２表示データをモニタ装置１に送るための第２表示データ伝送線１７と、第２ＰＣ３とモニタ装置１の間で通信データを送受するための第２通信データ伝送線１８が配線されている。
【００１９】
このように、本第１実施形態では、第１ＰＣ２とモニタ装置１間の接続は、第１ＰＣコネクタ１３を第１ＰＣ２に装着し、第１モニタコネクタ１９をモニタ装置１に装着するだけで達成される。同様に、第２ＰＣ３とモニタ装置１間の接続は、第２ＰＣコネクタ１６を第２ＰＣ３に装着し、第１モニタコネクタ２１をモニタ装置１に装着するだけで達成される。
【００２０】
ここで、以下では、一例として、第１ＰＣ２、第２ＰＣ３からモニタ装置１に送られる第１表示データ、第２表示データが、共に、カラー表示のための表示データであり、小電圧差動信号（ＬＶＤＳ）方式で伝送される各色８ビットのカラーデータである場合を例にとり説明する。また、一例として、第１通信データ伝送線１５、第２通信伝送線１８は、共に、ＵＳＢ（Ｕｎｉｖｅｒｓａｌ  Ｓｅｒｉａｌ Ｂｕｓ）と呼ばれるシリアル通信用の伝送線である場合を例にとり説明する。ただし、これらは、さらに高速なＩＥＥＥ１３９４規格のシリアル通信用のものなどの、他のシリアル通信用のものであってもでも良いし、パラレル通信用のもであってもよい。
【００２１】
さて、本第１実施形態では、図３に示すように、モニタ装置１への第１ＰＣ２の表示画面６中に、第２ＰＣ３の表示画面７を表示することを可能とする。また、第１ＰＣ２または第２ＰＣ３から、第２ＰＣ３の表示画面７の位置やサイズや、モニタ装置１の表示のコントラストや明るさや位置調整を変更可能とする。また、モニタ装置１を介した、第１ＰＣ２と第２ＰＣ３の間の通信を可能とする。
【００２２】
このような動作を可能にする、本第１実施形態に係るモニタ装置１の構成を図４に示す。
【００２３】
図中、２１は通信制御部、２２は第２解像度信号、２３は表示位置指定信号、２４は表示制御部、２５は液晶表示データ、２６は液晶ディスプレイである。
【００２４】
以下、各部の詳細について説明する。
【００２５】
まず、通信制御部２１の動作について説明する。
【００２６】
図５に、通信制御部２１の構成を示す。
【００２７】
図示するように、通信制御部２１は、通信データ識別部５２と、ウインドウ情報生成部５３と、液晶データ変換制御信号生成部１２７とを有する。
【００２８】
ここで、第１通信データ用伝送線１５を介して第１ＰＣ２から送られた通信データと、第２通信データ用伝送線１８を介して第２ＰＣ３から送られた通信データは、通信データ識別部５２に送られる。第１通信データ用伝送線１５、第２通信データ用伝送線１８を介して伝送される通信データは、通信データの宛先が付加されて伝送される。また、宛先がモニタ装置１である通信データには、その通信データの内容を表す識別子が付加されている。
【００２９】
第１ＰＣ２や第２ＰＣ３が宛先をモニタ装置１として送信する通信データの内容としては、第２ＰＣ３の表示画面７の表示位置や表示サイズを表す情報、モニタ装置１の表示のコントラストや明るさや位置調整量を表す情報があり、それぞれ、予め定めた固有の識別子が付加された形態で、通信データ識別部５２に入力する。
【００３０】
通信データ識別部５２は、第１通信データ用伝送線１５を介して第１ＰＣ２から入力する、宛先が第２ＰＣ３の通信データについては、そのまま、第２通信データ用伝送線１８を介して第２ＰＣ３に送信する。また、第２通信データ用伝送線１８を介して第２ＰＣ３から入力する、宛先が第１ＰＣ２の通信データについては、そのまま、第１通信データ用伝送線１５を介して第１ＰＣ２に送信する。
【００３１】
これにより、モニタ装置１を介した、第１ＰＣ２と第２ＰＣ３の間の通信が可能となる。
【００３２】
一方、第１通信データ用伝送線１５を介して第１ＰＣ２から入力する、宛先がモニタ装置１の通信データと、第２通信データ用伝送線１８を介して第２ＰＣ３から入力する、宛先がモニタ装置１の通信データについては、その内容を表す識別子を判別し、第２ＰＣ３の表示画面７の表示位置や表示サイズを表す情報については、これをウインドウ情報生成部５３に渡し、モニタ装置１の表示のコントラストや明るさや位置調整量を表す情報については、これを液晶データ変換制御信号生成部１２７に渡す。
【００３３】
ウィンドウ情報生成部５３は、受け取った情報より、第２ＰＣ３の表示画面７の大きさ（解像度）を示す第２解像度信号２２と、表示位置および表示の有無を示す表示位置信号２３を表示制御部２４へ出力する。なお、第１ＰＣ２もしくは第２ＰＣ３より送られる第２ＰＣ３の表示画面７の表示位置や表示サイズを表す情報は、第２ＰＣ３の表示画面７の表示の有無と、第２ＰＣ３の表示画面７の左上の座標情報と、垂直方向ライン数、水平方向ドット数よりなる。ウィンドウ情報生成部５３は、表示位置信号２３として、モニタ装置１の走査位置が第２ＰＣ３の表示画面７を表示しない位置にあるとき“０”、第２ＰＣ３の表示画面７を表示する位置にあるとき“１”となる１ビットの信号を出力する。また、ウィンドウ情報生成部５３は、解像度信号２２として、横方向ドット数を１０ビット、縦方向ドット数を１０ビットで表す信号を出力する。すなわち、図３に示すように、モニタ装置１の画面が１０２４×７６８ドットであり、水平方向１０ドット目、垂直方向１０ライン目から、大きさが６４０×４８０ドットの第２ＰＣ３の表示画面７を表示するのであれば、表示位置信号２３は、垂直方向１０ライン目から４８９ライン目まで、モニタ装置１が水平方向１０ドット目から６４９ドット目までを走査している期間“１”となり、解像度信号２２は横方向６４０ドット、縦方向４８０ドットを示す信号となる。
【００３４】
一方、液晶データ変換制御信号生成部１２７は、受け取った情報より、モニタ装置１の表示の位置調整量を表す表示位置制御信号９６、モニタ装置１の表示のコントラストを指定する表示コントラスト制御信号９７、モニタ装置１の表示の明るさを指定する表示輝度制御信号９８を、表示制御部２４に出力する。
【００３５】
次に、表示制御部２４について説明する。
【００３６】
図６に、表示制御部２４の構成を示す。
【００３７】
図中、２７は第１データ変換部、２８は第２データ変換部、２９は第１パラレルデータ、３０は第１同期信号、３１は第２パラレルデータ、３２は解像度・周波数変換部、３３はウィンドウ表示パラレルデータ、３４はデータ切り替え部、３５は重ね合わせ表示データ、３６は液晶データ変換部である
第１データ変換部２７は、第１表示データ伝送線１４を介して入力する、ＬＶＤＳ信号である第１表示データを、Ｒ（赤）Ｇ（緑）Ｂ（青）の表示データ、垂直同期信号、水平同期信号、表示有効期間信号、ドットクロックに変換し、これらを第１パラレルデータ２９としてデータ切り替え部３４へ出力する。また、垂直同期信号、水平同期信号、ドットクロックを、第１同期信号３０として、解像度・周波数変換部３２へ出力する。
【００３８】
第２データ変換部２８は、第１データ変換部２７と同様に、第２表示データ伝送線１７を介して入力する、ＬＶＤＳ信号である第２表示データを、Ｒ（赤）Ｇ（緑）Ｂ（青）の表示データ、垂直同期信号、水平同期信号、表示有効期間信号、ドットクロックに変換し、これらを第２パラレルデータ３１としてデータ切り替え部３４へ出力する。
【００３９】
ここでは、第１パラレルデータ２９、第２パラレルデータ３１に含まれる表示データは、ＲＧＢ各色８ビット（１６７０万色表示）の表示データであるとする。
【００４０】
解像度・周波数変換部３２は、第２パラレルデータ３１を、解像度信号２２に従って解像度変換し、第１パラレルデータ３０の周波数と同じになるよう、第１同期信号３０に従って周波数変換を行い、ウィンドウ表示パラレルデータ３３として出力する。
【００４１】
ここで、このような解像度・周波数変換部３２は、例えば、図７に示すように構成することができる。
【００４２】
図中、３７は解像度変換部、３８は解像度変換後同期信号、３９は解像度変換後表示データ、４０は書き込み制御部、４１は書き込み制御信号、４２は読み出し制御部、４３は読み出し制御信号、４４はウィンドウ画面格納部である。
【００４３】
解像度変換部３７は、第２パラレルデータ３１を、解像度信号２２が示す解像度に従って解像度変換し、解像度変換後表示データ３９として、解解像度変換後の垂直同期信号、水平同期信号、ドットクロックである像度変換後同期信号３８と共に出力する。書き込み制御部４０は、解像度変換後同期信号３８に基づいて、解像度変換後表示データ３９を、ウィンドウ画面格納部４４に一旦格納するためのタイミング信号である書き込み制御信号４１を生成する。
【００４４】
読み出し制御部４２は、第２ＰＣ３の表示画面７を第１ＰＣ２の表示画面６中に表示するため、第１パラレルデータ２９のうちの同期信号である第１同期信号３０と、表示位置信号２３に基づいて、第２ＰＣ３の表示画面７の表示位置に合わせて、ウィンドウ画面格納部４４から解像度変換後表示データ３９を、ウィンドウ表示パラレルデータ３３として読み出すための読み出し制御信号４３を生成する。ウィンドウ画面格納部４４は、書き込み制御信号４１に従って解像度変換後表示データ３９を一画面分格納し、読み出し制御信号４３に従ってウィンドウ表示パラレルデータ３３として出力する。
【００４５】
図６に戻って、データ切り替え部３４は、表示位置信号２３に従って、第２ＰＣ３の表示画面７の表示タイミングでウィンドウ表示パラレルデータ３３を出力するよう、第１パラレルデータ２９とウィンドウ表示パラレルデータ３３を切り替え、重ね合わせ表示データ３５として出力する。ここでは、表示位置信号２３が“０”のとき第１パラレルデータ２９を、“１”のときウィンドウ表示パラレルデータ３３を出力する。
【００４６】
液晶データ変換部３６は、ＲＧＢ各色８ビットのパラレルデータで構成されている重ね合わせ表示データ３５を、液晶ディスプレイ２６の入力信号に変換し、液晶表示データ２５として出力する。
【００４７】
図８に、この液晶データ変換部の構成を示す。
【００４８】
図中、１１４は液晶データ生成部、１１５は未調整液晶表示データ、１１６は階調特性変換部、１１７はバックライト制御部である。
【００４９】
液晶データ生成部１１４は、ＲＧＢ各色８ビットのパラレルデータと同期信号で構成されている重ね合わせ表示データ３５を液晶ディスプレイ２６の表示タイミングに合わせて変換し、未調整液晶表示データ１１５、液晶表示同期信号１０１として出力するとともに、表示位置制御信号９６に従って、画面全体の表示位置を合わせるよう、液晶表示同期信号１０１の制御を行う。階調特性変換部１１６は、表示コントラストの調整のため、未調整液晶表示データ１１５の階調特性を、表示コントラスト制御信号９７に従って変換し、液晶表示データ２５として出力する。例えば、コントラストを大きくしたい場合は、最大輝度と最小輝度の差が最大となるよう、ＲＧＢ各色８ビットのデータを変換し、逆にコントラストを小さくしたい場合は、最大輝度をデータを小さくする、あるいは、最小輝度のデータを大きくするよう、ＲＧＢ各色８ビットのデータを変換する。バックライト制御部１１７は、表示輝度制御信号９８に従って、液晶ディスプレイ１０３のバックライトの輝度を制御するための液晶パネルバックライト制御信号１０２を生成する。
【００５０】
以上のように、本第１実施形態によれば、モニタ装置１への第１ＰＣ２の表示画面６中に、第２ＰＣ３の表示画面７を表示することができる。また、第１ＰＣ２または第２ＰＣから、第２ＰＣ３の表示画面７の位置やサイズや、モニタ装置１の表示のコントラストや明るさや位置調整の変更が可能となる。
【００５１】
ここで、第１ＰＣ２または第２ＰＣ３からの、第２ＰＣ３の表示画面７の位置やサイズや、モニタ装置１の表示のコントラストや明るさや位置調整の変更は、たとえば、第１ＰＣ２または第２ＰＣ３上で稼働するモニタ装置１を制御するドライバソフトウエアが、ユーザの指示に応じて、これらの指示を前述のようにモニタ装置１に送ることにより行うことができる。
【００５２】
または、第２ＰＣ３の表示画面７の位置やサイズの変更は、たとえば、第２ＰＣ３の表示画面７の位置やサイズを管理し、これらの変更を、ユーザのマウス３の操作に応じて受け付け、これらの指示を前述のようにモニタ装置１に送る、第１ＰＣ２のOSと協調して動作するソフトエアを第１ＰＣ２上で稼働させることにより行うようにしてもよい。この場合、このソフトウエアは、第２ＰＣ３の表示画面７の位置やサイズの変更を、マウス３のドラッグ操作に応じて受け付ける。すなわち、たとえば、第２ＰＣ３の表示画面７のタイトルバー位置のドラッグで位置の変更を、第２ＰＣ３の表示画面７の右下角のドラッグ操作でサイズの変更を受け付けるようにする。
【００５３】
さて、本第１実施形態によれば、モニタ装置１を介した、第１ＰＣ２と第２ＰＣ３の間の通信が可能となる。したがって、ユーザは、モニタ装置１の表示を見ながら、第１ＰＣ２、第２ＰＣ３上で稼働する通信ソフトウエアを用いて、第１ＰＣ２から第２ＰＣ３へ、または、第２ＰＣ３から第１ＰＣ２へ、ファイルの転送などを行うことができる。
【００５４】
また、第１ＰＣ２と第２ＰＣ３の間で、ディレクトリ情報や表示情報をやりとりし、両者が、協調することにより、たとえば、ユーザのマウス３操作による、第２ＰＣ３の表示画面７と第１ＰＣ２の表示画面６の間のファイルのドラッグアンドドロップ表示と、これに連動したファイルの第１ＰＣ２と第２ＰＣ３の間のファイル転送を行うようにしてもよい。
【００５５】
なお、本実施形態では、第１ＰＣ２、第２ＰＣ３から送られる表示データをＬＶＤＳ信号であるとしたが、これは、モニタ装置１に適当なインタフェースを設けることにより、これ以外の表示データの形式を用いるようにしてもよい。
【００５６】
以下、本発明の第２実施形態について説明する。
【００５７】
はじめに、本第２実施形態に係るモニタ装置の使用形態を図９に示す。
【００５８】
図示するように、本第２実施形態は、モニタ装置１３８に、キーボード１４１、マウス１４２を接続するよう、前記第１実施形態を修正したものである。
【００５９】
次に、図１０に、モニタ装置１３８と第１ＰＣ２、第２ＰＣ３、キーボード１４１、マウス１４２との接続関係を示す。
【００６０】
図示するように、モニタ装置１３８と第１ＰＣ２、第２ＰＣ３間の接続は前記第１実施形態と同様であるが、本第２実施形態ではモニタ装置１３８とキーボード１４１、マウス１４２間が、それぞれモニタ装置１８４にコネクタを介して装着されるキーボード入力信号伝送線１５１、マウス入力信号伝送線１５２で接続される。キーボード入力信号伝送線１５１、マウス入力信号伝送線１５２は、共に、第１通信データ伝送線１５、第２通信伝送線１８と同様のＵＳＢである場合を例にとり説明する。
【００６１】
さて、本第２実施形態では、前記第１実施形態の動作に加え、モニタ装置１３８に接続した、キーボード１４１、マウス１４２を、第１ＰＣ２、第２ＰＣ３の入力装置として使用を可能とする。したがって、図９に示したように、本第２実施形態では、第１実施形態で設けていた第１ＰＣ２専用のキーボード４、マウス５は不要となる。また、本第２実施形態では、モニタ装置１３８に接続した、キーボード１４１からのモニタ装置１３８の表示のコントラストや明るさや位置調整の変更を可能とする。
【００６２】
図１１に、このような動作を可能にする、本第２実施形態に係るモニタ装置１３８の構成を示す。
【００６３】
図示するように、本第２実施形態に係るモニタ装置１３８の構成は、キーボード入力信号伝送線１５１、マウス入力信号伝送線１５２が、通信制御部１５３に接続されている点が、第１実施形態に係るモニタ装置１と異なる。また、本第２実施形態に係るモニタ装置１３８は、通信制御部１５３の構成と動作が、第１実施形態に係るモニタ装置１と異なる。
【００６４】
そこで、以下では、この通信制御部１５３の詳細について説明する。
【００６５】
図１２に、通信制御部１５３の構成を示す。
【００６６】
図示するように、通信制御部１５３は、前記第１実施形態と同様に、通信データ識別部１６９と、ウインドウ情報生成部５３と、液晶データ変換制御信号生成部１２７とを有する。
【００６７】
ここで、第１通信データ用伝送線１５を介して第１ＰＣ２から送られた通信データと、第２通信データ用伝送線１８を介して第２ＰＣ３から送られた通信データと、キーボード入力信号伝送線１５１を介してキーボード１４１から送られるキーボード入力信号と、マウス入力信号伝送線１５２を介してマウス１４２から送られるマウス入力信号は、通信データ識別部１６９に送られる。
【００６８】
さて、ウインドウ情報生成部５３と液晶データ変換制御信号生成部１２７の動作は、前記第１実施形態で示したものと同様である。また、通信制御部１５３の動作は、以下の点を除き、第１実施形態で示した通信制御部２１と同じ動作を行う。
【００６９】
ここで、本第２実施形態では、予めキーボード１４１の一部の特定のキー操作に対して、入力装置出力PC切り替え、モニタ装置１３８の表示のコントラスト変更、モニタ装置１３８の表示の明るさの変更、モニタ装置１３８の表示の位置調整の変更を割付けている。
【００７０】
そして、通信データ識別部１６９は、常時キーボード入力信号伝送線１５１を介してキーボード１４１から送られるキーボード入力信号を監視し、上記特定のキー操作以外のキー操作を表すキーボード入力信号については、第１通信データ用伝送線１５を介して第１ＰＣ２に通信データとして送信するか、第２通信データ用伝送線１８を介して第２ＰＣ３に通信データとして送信する。キーボード入力信号を送信するPCは、入力装置出力PC切り替えのキー操作を検出したときに切り替える。また、通信データ識別部１６９は、マウス入力信号伝送線１５２を介してマウス１４２から送られるマウス入力信号を、キーボード入力信号を送信している方のPCへ、第１通信データ用伝送線１５または第２通信データ用伝送線１８を介して通信データとして送信する。
【００７１】
これにより、モニタ装置１３８に接続した、キーボード１４１、マウス１４２を、第１ＰＣ２、第２ＰＣ３の入力装置として使用を可能とすることができるようになる。
【００７２】
また、通信データ識別部１６９は、モニタ装置１３８の表示のコントラスト変更、モニタ装置１３８の表示の明るさの変更、モニタ装置１３８の表示の位置調整の変更を表す特定のキー操作を検出したときには、そのキー操作が表す変更の内容を、液晶データ変換制御信号生成部１２７に渡す。
【００７３】
これにより、モニタ装置１３８に接続したキーボード１４１からのモニタ装置１３８の表示のコントラストや明るさや位置調整の変更が可能となる。
【００７４】
ところで、本第２実施形態において、モニタ装置１３８の表示のコントラストや明るさや位置調整の変更と同様に、モニタ装置１３８に接続したキーボード１４１からの第２ＰＣ３の表示画面７の位置やサイズの変更を可能とするようにしてもよい。また、本第２実施形態では、マウス１４２がモニタ装置１３８に接続されているので、モニタ装置１３８において第２ＰＣ３の表示画面７の位置やサイズを管理し、これらの変更を、ユーザのマウス１４２の操作に応じて受け付けるようにしてもよい。この場合、モニタ装置１３８は、第２ＰＣ３の表示画面７の位置やサイズの変更を、マウス３のドラッグ操作に応じて受け付ける。すなわち、たとえば、第２ＰＣ３の表示画面７のタイトルバー位置のドラッグを検出したときには、その操作内容を第１ＰＣ２や第２ＰＣ３に送らずに、第２ＰＣ３の表示画面７の位置の変更を、第２ＰＣ３の表示画面７の右下角のドラッグを検出したときは、その操作内容を第１ＰＣ２や第２ＰＣ３に送らずに、第２ＰＣ３の表示画面７のサイズの変更行うようにする。
【００７５】
以下、本発明の第３の実施形態について説明する。
【００７６】
はじめに、本第３実施形態に係るモニタ装置の使用形態を図１３に示す。
【００７７】
図示するように、本第３実施形態は、モニタ装置１８４に、キーボード１４１、カメラ１８８を接続し、第１ＰＣ２にマウス５を接続するよう、前記第１実施形態を修正したものである。
【００７８】
次に、図１４に、モニタ装置１８４と第１ＰＣ２、第２ＰＣ３、キーボード１４１、マウス１４２との接続関係を示す。
【００７９】
図示するように、モニタ装置１８４と第１ＰＣ２、第２ＰＣ３の間の接続は前記第２実施形態と同様であるが、本第３実施形態ではモニタ装置１８４と、キーボード１４１、カメラ１８８の間が、それぞれモニタ装置１８４にコネクタを介して装着されるキーボード入力信号伝送線１５１、カメラ入力信号伝送線２１０で接続される。キーボード入力信号伝送線１５１、カメラ入力信号伝送線２１０は、第１通信データ伝送線１５、第２通信データ伝送線１８と同様のＵＳＢである場合を例にとり説明する。
【００８０】
さて、本第３実施形態では、前記第１実施形態の動作に加え、前記第２実施形態と同様にモニタ装置１８４に接続した、キーボード１４１を、第１ＰＣ２、第２ＰＣ３の入力装置として使用を可能とする。また、本第３実施形態では、図１５に示すように、モニタ装置１８４に接続した、カメラ１８８からのカメラ入力信号が表す画像を、モニタ装置１８４に表示される第１ＰＣ２の表示画面６中にカメラの表示画面１９１として表示可能とする。
【００８１】
図１１に、このような動作を可能にする、本第３実施形態に係るモニタ装置１８４の構成を図１６に示す。
【００８２】
図示するように、本第３実施形態に係るモニタ装置１８４の構成は、キーボード入力信号伝送線１５１、カメラ入力信号伝送線２１０が、通信制御部１５３に接続されている点が、第１実施形態に係るモニタ装置１と異なる。また、本第３実施形態に係るモニタ装置１８４は、通信制御部２１１と表示制御部２１８の構成と動作が、第１実施形態に係るモニタ装置１と異なる。
【００８３】
まず、この通信制御部２１１の詳細について説明する。
【００８４】
図１７に、通信制御部２１１の構成を示す。
【００８５】
図示するように、通信制御部２１１は、前記第１実施形態と同様に、通信データ識別部３００と、ウインドウ情報生成部５３と、液晶データ変換制御信号生成部１２７とを有する。
【００８６】
ここで、第１通信データ用伝送線１５を介して第１ＰＣ２から送られた通信データと、第２通信データ用伝送線１８を介して第１ＰＣ３から送られた通信データと、キーボード入力信号伝送線１５１を介してキーボード１４１から送られたキーボード入力信号と、カメラ入力信号伝送線２１０を介してカメラ１８８から送られるカメラ入力信号は、通信データ識別部３００に入力される。
【００８７】
さて、ウインドウ情報生成部５３と液晶データ変換制御信号生成部１２７の動作は前記第１実施形態で示したものと同様である。また、通信制御部２１１の動作は、以下の点を除き、第１実施形態で示した通信制御部２１と同じ動作を行う。
【００８８】
すなわち、通信データ識別部３００は、キーボード入力信号伝送線１５１を介してキーボード１４１から送られるキーボード入力信号については、前記第２実施形態と同様に処理する。これにより、モニタ装置１８４に接続した、キーボード１４１を、第１ＰＣ２、第２ＰＣ３の入力装置として使用可能となる。
【００８９】
また、通信データ識別部３００は、メラ入力信号伝送線２１０を介してカメラ１８８から送られるカメラ入力信号を、表示制御部２１８に、カメラ表示データ２１７として送る。
【００９０】
次に、表示制御部２１８の詳細について説明する。
【００９１】
図１８に、表示制御部２１８の構成を示す。
【００９２】
図示するように、表示制御部２１８の構成は、前記第１実施形態に係る表示制御部２４（図６参照）に、カメラデータ変換部２２５と、カメラデータ切り替え部２３５を付加した構成となっている。
【００９３】
カメラデータ変換部２２５は、シリアルデータであるカメラ表示データ２１７を、重ね合わせ表示データ３５と同様のパラレルデータであるカメラ表示パラレルデータ２２９を生成するとともに、カメラ表示画面１９１を液晶ディスプレイ２２２のどの部分に表示するかを指示するカメラ表示位置指示信号２３０を生成する。
【００９４】
ここで、カメラ表示画面１９１の表示の基準位置は、予めカメラデータ変換部２２５に設定された位置とし、カメラ表示画面１９１のサイズは、カメラ表示データ２１７の解像度に従った大きさとして、カメラデータ変換部２２５はカメラ表示位置指示信号２３０を生成する。たとえば、図１５は、カメラ表示データ２１７の解像度が３２０×２４０ドットの場合を示したものであり、この場合、カメラ表示画面１９１の水平方向の大きさ、垂直方向の大きさは、各々３２０ドット、２４０ドットとなる。
【００９５】
また、カメラデータ変換部２２５は、このカメラ表示位置指示信号２３０として、モニタ装置１８４の走査位置がカメラ表示画面１９１を表示しない位置にあるとき“０”、カメラ表示画面１９１を表示する位置にあるとき“１”となる１ビットの信号を出力する。なお、ここでは、カメラ表示パラレルデータ２２９は、ＲＧＢ各色８ビット（１６７０万色表示）データとする。
【００９６】
次に、カメラデータ切り替え部２３５は、カメラ表示位置指示信号２３０に従って、カメラ表示画面１９１の表示対明でカメラ表示パラレルデータ２２９を出力するよう、重ね合わせ表示データ３５とカメラ表示パラレルデータ２２９を切り替え、カメラ重ね合わせ表示データ２３６として、液晶データ変換部３６に出力する。ここでは、カメラ表示位置指示信号２３０が“０”のとき重ね合わせ表示データ３５を、“１”のときカメラ表示パラレルデータ２２９を出力する。
【００９７】
液晶データ変換部３６は、ＲＧＢ各色８ビットのパラレルデータであるカメラ重ね合わせ表示データ２３６を、液晶ディスプレイ２６の入力信号に変換し、液晶表示データ２５として出力する。
【００９８】
これにより、モニタ装置１８４に接続した、カメラ１８８からのカメラ入力信号が表す画像を、モニタ装置１８４に表示される第１ＰＣ２の表示画面６中にカメラの表示画面１９１として表示可能となる。
【００９９】
また、本第３実施形態において、モニタ装置１８４に接続したキーボード１４１の特定の操作に応じて、モニタ装置１８４が、カメラ１８８からのカメラ入力信号を第１ＰＣ２または第２ＰＣ３に通信データとして送るようにしてもよい。また、カメラの表示画面１９１の位置やサイズは、前述した第２ＰＣ３の表示画面３と同様の手法により変更可能とするようにしてもよい。
【０１００】
以上、本発明の実施形態を説明した。
【０１０１】
【発明の効果】
以上のように本発明によれば、複数の電子計算機の出力画像を同時に表示することのできるモニタ装置を提供することができる。また、本発明は、利用者が、特定の入力装置を離れることなく、その特定の入力装置や特定のモニタ装置を、複数の電子計算機のモニタ装置や入力装置として使用可能とすることができる。
【図面の簡単な説明】
【図１】本発明の第１実施形態に係るモニタ装置に使用形態を示す図である。
【図２】本発明の第１実施形態に係るモニタ装置と他装置との接続関係を示す図である。
【図３】本発明の第１実施形態に係るモニタ装置の行う表示例を示した図である。
【図４】本発明の第１実施形態に係るモニタ装置の構成を示すブロック図である。
【図５】本発明の第１実施形態に係るモニタ装置の通信制御部の構成を示すブロック図である。
【図６】本発明の第１実施形態に係るモニタ装置の表示制御部の構成を示すブロック図である。
【図７】本発明の第１実施形態に係るモニタ装置の解像度・周波数変換部の構成を示すブロック図である。
【図８】本発明の第１実施形態に係るモニタ装置の液晶データ変換部の構成を示すブロック図である。
【図９】本発明の第２実施形態に係るモニタ装置に使用形態を示す図である。
【図１０】本発明の第２実施形態に係るモニタ装置と他装置との接続関係を示す図である。
【図１１】本発明の第２実施形態に係るモニタ装置の構成を示すブロック図である。
【図１２】本発明の第２実施形態に係るモニタ装置の通信制御部の構成を示すブロック図である。
【図１３】本発明の第３実施形態に係るモニタ装置に使用形態を示す図である。
【図１４】本発明の第３実施形態に係るモニタ装置と他装置との接続関係を示す図である。
【図１５】本発明の第３実施形態に係るモニタ装置の行う表示例を示した図である。
【図１６】本発明の第３実施形態に係るモニタ装置の構成を示すブロック図である。
【図１７】本発明の第３実施形態に係るモニタ装置の通信制御部の構成を示すブロック図である。
【図１８】本発明の第３実施形態に係るモニタ装置の表示制御部の構成を示すブロック図である。
【符号の説明】
１…モニタ装置、２…第１ＰＣ、３…第２ＰＣ、４…キーボード、５…マウス、６…第１ＰＣ表示画面、７…第２ＰＣ表示画面、２１…通信制御部、２４…表示制御部、２６…液晶ディスプレイ、２７…第１データ変換部、２８…第２データ変換部、３２… 解像度・周波数変換部、３４…データ切り替え部、３６…液晶データ変換部、３７…解像度変換部、４０…書き込み制御部、４２… 読み出し制御部、４４…ウィンドウ画面格納部、１１６…階調特性変換部、１１７バックライト制御部、１３８…モニタ装置、１５３…通信制御部、１６９…通信データ識別部、１８４…モニタ装置、１９１…カメラ表示画面、２１１…通信制御部、２１８…表示制御部、２２５…カメラデータ変換部、２３５…カメラデータ切り替え部、３００…通信データ識別部
【図１】
0003723692.tif 000002
【図２】
0003723692.tif 000003
【図３】
0003723692.tif 000004
【図４】
0003723692.tif 000005
【図５】
0003723692.tif 000006
【図６】
0003723692.tif 000007
【図７】
0003723692.tif 000008
【図８】
0003723692.tif 000009
【図９】
0003723692.tif 000010
【図１０】
0003723692.tif 000011
【図１１】
0003723692.tif 000012
【図１２】
0003723692.tif 000013
【図１３】
0003723692.tif 000014
【図１４】
0003723692.tif 000015
【図１５】
0003723692.tif 000016
【図１６】
0003723692.tif 000017
【図１７】
0003723692.tif 000018
【図１８】
0003723692.tif 000019